(57)【特許請求の範囲】
【請求項１】
亜塩素酸ナトリウム原液タンクと、予じめ所定量の魚類飼育用水産系使用水を貯留している亜塩素酸ナトリウム添加液調合タンクと、所定の光源と、上記亜塩素酸ナトリウム原液タンクから上記亜塩素酸ナトリウム添加液調合タンクへ原液を供給する原液注入ポンプと、上記亜塩素酸ナトリウム添加液調合タンクから魚類飼育用水産系使用水中に所定量の魚類飼育用水産系使用水と亜塩素酸ナトリウムとの調合液を注入する調合液注入ポンプとを具備してなる魚類飼育用水産系使用水に対する亜塩素酸ナトリウムの注入装置において、上記光源からの光が上記亜塩素酸ナトリウム添加液調合タンク中の亜塩素酸ナトリウム調合液に照射されるようにするとともに、上記亜塩素酸ナトリウム添加液調合タンクに亜塩素酸ナトリウム調合液バイパス通路を設けて、同光を照射した亜塩素酸ナトリウム調合液を循環させるようにしたことを特徴とする魚類飼育用水産系使用水に対する亜塩素酸ナトリウムの注入装置。
【請求項２】
亜塩素酸ナトリウム添加液調合タンクの上面部を透明板に構成したことを特徴とする請求項１記載の魚類飼育用水産系使用水に対する亜塩素酸ナトリウム注入装置。
【請求項３】
所定の光源は、その照射光量を所望の量に調節することができるようになっていることを特徴とする請求項１又は２記載の魚類飼育用水産系使用水に対する亜塩素酸ナトリウムの注入装置。
【発明の詳細な説明】
【技術分野】
【０００１】
この出願の発明は、魚類飼育用水産系使用水の殺菌処理に使用される亜塩素酸ナトリウムの注入装置に関するものである。
【背景技術】
【０００２】
魚病、中でもコイヘルペスに代表されるようなウイルス性の魚病は、養殖漁場等の水産系施設における飼育魚類の死を招くことから、業界において深刻な問題となっており、その対策法の確立が急がれている。
【０００３】
従来から、この対策として、例えば生体防御機能を利用した予防ワクチンの開発や同ワクチンを使用した治療方法の研究が行われている。また、ほとんどのウイルスが系外からの持ち込みであることから、例えば次亜塩素酸ナトリウム（ＮａＣｌＯ）やオゾン（Ｏ3）による使用水の消毒やウイルスフリーな魚類生育環境の設定コントロール（防疫）なども考えられている（例えば特許文献１，２参照）。
【０００４】
しかし、予防ワクチンはウイルスの種類毎に開発する必要があり、接種の方法などの問題から経済的な問題まで相まって、いまだ開発に時間を要しているの現状である。
【０００５】
一方、次亜塩素酸ナトリウム（ＮａＣｌＯ）は濃度調整範囲が狭く、魚類に対する安全な濃度設定が難しい。
【０００６】
また、次亜塩素酸ナトリウム（ＮａＣｌＯ）は、使用水中での性状の安定性が悪く、約１ケ月程度で半減してしまい、殺菌効果が低下する。また、アンモニア性窒素が存在すると、同アンモニア性窒素と反応して、クロラミンを生成する。そして、同アンモニア性窒素濃度の約８倍の次亜塩素酸ナトリウムを消費する。
【０００７】
また、次亜塩素酸ナトリウム（ＮａＣｌＯ）による消毒は、水中の有機基質に対して塩素が付加反応することにより、トリハロメタン等の発がん性物質を生成する恐れもある。
【０００８】
さらに、魚の生育環境の設定コントロールによる防疫方法は、水族館などの観賞魚の世界でこそ１５年程度の実績があるものの、経済効果が求められる養殖漁業の世界では、いまだ実績は不明である。
【０００９】
このような現状に鑑み、濃度の調整範囲が広く、長期に亘って有効な殺菌効果を有する亜塩素酸ナトリウムを消毒剤として添加することによって、養殖漁場等の水産系施設における水産系使用水中のウイルス等の効果的な防疫を可能にすることが検討されている。
【００１０】
亜塩素酸ナトリウム（ＮａＣｌＯ2）は、濃度調整範囲が広く、安全性が高い消毒薬である。
【００１１】
したがって、水産系使用水中に、消毒剤として亜塩素酸ナトリウム（ＮａＣｌＯ2）を添加すると、ウィルス等に対して有効な殺菌作用が生じ、当該水産系使用水の適切な再生を図ることができる。
【００１２】
しかも、添加された亜塩素酸ナトリウムは、使用水中で安定した性状を有し、短期間では分解せず、長期に亘って有効な殺菌効果を発揮させることができる。
【００１３】
また、次亜塩素酸ナトリウムなどと異なって有害なトリハロメタンを生成せず、使用水中のアンモニア性窒素とも反応しない。
【００１４】
したがって、クロラミンを生成するようなこともない。
【００１５】
【特許文献１】特開２００３−５２２７５号公報（明細書１−６頁、図１−４）
【特許文献２】特開平８−２３８２３号公報（明細書１−３頁、図１−２）
【発明の開示】
【発明が解決しようとする課題】
【００１６】
しかし、そのように、魚類飼育用水産系使用水に対して亜塩素酸ナトリウムを殺菌剤として使用するようにした場合、その添加方法をどのようにするか、どのような添加装置を構成するかが問題となるし、また可能な限り少ない殺菌剤の量で可能な限り高い殺菌効果が求められる。
【００１７】
本願発明は、このような課題に対応してなされたもので、予じめ亜塩素酸ナトリウムの添加液を調合タンク内で使用水と調合するようにする一方、所定の光源からの光が当該調合タンク中の調合液に照射されるようにし、また上記調合タンクに調合液バイパス通路を設けて同光を照射した調合液を循環させることによって、同調合液中の亜塩素酸ナトリウムの可及的な活性化を図り、低濃度でも十分に有効な殺菌効果を発揮し得るようにした魚類飼育用水産系使用水に対する亜塩素酸ナトリウムの注入装置を提供することを目的とするものである。
【課題を解決するための手段】
【００１８】
本願発明は、上記従来の課題を確実に解決し、その目的を有効に達成するために、次のような課題解決手段を備えて構成されている。
【００１９】
（１）  請求項１の発明
この発明の課題解決手段は、亜塩素酸ナトリウム原液タンクと、予じめ所定量の魚類飼育用水産系使用水を貯留している亜塩素酸ナトリウム添加液調合タンクと、所定の光源と、上記亜塩素酸ナトリウム原液タンクから上記亜塩素酸ナトリウム添加液調合タンクへ原液を供給する原液注入ポンプと、上記亜塩素酸ナトリウム添加液調合タンクから魚類飼育用水産系使用水中に所定量の魚類飼育用水産系使用水と亜塩素酸ナトリウムとの調合液を注入する調合液注入ポンプとを具備してなる魚類飼育用水産系使用水に対する亜塩素酸ナトリウムの注入装置において、上記光源からの光が上記亜塩素酸ナトリウム添加液調合タンク中の亜塩素酸ナトリウム調合液に照射されるようにするとともに、上記亜塩素酸ナトリウム添加液調合タンクに亜塩素酸ナトリウム調合液バイパス通路を設けて、同光を照射した亜塩素酸ナトリウム調合液を循環させるようにしたことを特徴としている。
【００２０】
亜塩素酸ナトリウム（ＮａＣｌＯ2）は、濃度調整範囲が広く、安全性が高い消毒薬である。
【００２１】
したがって、魚類飼育用の水産系使用水中に、消毒剤として亜塩素酸ナトリウム（ＮａＣｌＯ2）を添加すると、ウィルス等に対して有効な殺菌作用が生じ、当該魚類飼育用水産系使用水の適切な再生を図ることができる。
【００２２】
しかも、添加された亜塩素酸ナトリウムは、使用水中で安定した性状を有し、短期間では分解せず、長期に亘って有効な殺菌効果を発揮させることができる。
【００２３】
また、次亜塩素酸ナトリウムなどと異なって有害なトリハロメタンを生成せず、使用水中のアンモニア性窒素とも反応しない。したがって、クロラミン生成等の問題も生じない。また、亜塩素酸ナトリウム過剰注入の必要もない。
【００２４】
そこで、上記のように、亜塩素酸ナトリウム原液タンクと、予じめ所定量の魚類飼育用水産系使用水を貯留している亜塩素酸ナトリウム添加液調合タンクと、所定の光源と、上記亜塩素酸ナトリウム原液タンクから上記亜塩素酸ナトリウム添加液調合タンクへ原液を供給する原液注入ポンプと、上記亜塩素酸ナトリウム添加液調合タンクから魚類飼育用水産系使用水中に所定量の魚類飼育用水産系水産系使用水と亜塩素酸ナトリウムとの調合液を注入する調合液注入ポンプとを具備してなる魚類飼育用水産系使用水に対する亜塩素酸ナトリウムの注入装置において、上記光源からの光が上記亜塩素酸ナトリウム添加液調合タンク中の亜塩素酸ナトリウム調合液に照射されるようにするとともに、上記亜塩素酸ナトリウム添加液調合タンクに亜塩素酸ナトリウム調合液バイパス通路を設けて、同光を照射した亜塩素酸ナトリウム調合液を循環させるようにする。
【００２５】
このように、予じめ所定量の魚類飼育用水産系使用水を貯留している亜塩素酸ナトリウム添加液調合タンク中の所定量の魚類飼育用水産系使用水に亜塩素酸ナトリウム原液タンクからの亜塩素酸ナトリウムを添加した調合液に対して光を照射すると、当該光によって調合液中の亜塩素酸ナトリウム（ＮａＣｌＯ2）が活性化し、低濃度でもウィルス等に対して特に有効な殺菌作用を発揮するようになり、当該魚類飼育用水産系使用水の一層効果的な再生を図ることができるようになる。
【００２６】
この場合、もちろん魚類飼育水槽中に直接亜塩素酸ナトリウム調合液を注入し、その後、光を照射して活性化を図ることも考えられる。
【００２７】
しかし、光の照射による亜塩素酸ナトリウムの活性化効率を考えると、水量の多い魚類飼育水槽中の水産系使用水に添加してからよりも、高濃度の所定量の水溶液である調合液状態で光を照射するのが好ましく、そのようにして亜塩素酸ナトリウムを所定量の魚類飼育用水産系使用水との調合液状態で効率良く活性化させてから、魚類飼育水槽中の水産系使用水中に添加する方が殺菌効果も高い。
【００２８】
また、最終的に魚類飼育水槽中に注入される亜塩素酸ナトリウムの濃度が均一かつ一定で、誤って入れすぎるということが避けられる。
【００２９】
また、直接原液を魚類飼育水槽中に注入する場合と比較して、注入時の濃度変化が小さく、その拡散度合が均一で、魚類に与えるダメージが小さい。
【００３０】
しかも、この発明の構成では、上記亜塩素酸ナトリウム添加液調合タンクに亜塩素酸ナトリウム調合液バイパス通路を設けて、同光を照射した亜塩素酸ナトリウム調合液を循環させるようにしているので、亜塩素酸ナトリウムの調合濃度が均一になることはもちろん、光による亜塩素酸ナトリウムの活性化効率が非常に高くなり、より効果的になる。
【００３１】
それらの結果、きわめて安全で、効果的な魚類飼育水槽の殺菌システムを、低コストに実現することができる。
【００３２】
（２）  請求項２の発明
この発明の課題解決手段は、上記請求項１の発明の課題解決手段の構成において、亜塩素酸ナトリウム添加液調合タンクの上面部を透明板に構成したことを特徴としている。
【００３３】
このような構成によると、亜塩素酸ナトリウム添加液調合タンク内にゴミや雨等を侵入させることなく、確実に所望の濃度の亜塩素酸ナトリウム調合液を形成することができる。
【００３４】
（３）  請求項３の発明
この発明の課題解決手段は、上記請求項１又は２の発明の課題解決手段の構成において、所定の光源は、その照射光量を所望の量に調節することができるようになっていることを特徴としている。
【００３５】
このように、所定の光源の照射光量を所望の量に調節することができるようになっていると、例えば照射する光と照射時間を適切に制御することにより、その殺菌効果を魚の種類等に応じて適切にコントロールすることができるようになる。
【発明の効果】
【００３６】
以上の結果、本願発明の魚類飼育用水産系使用水に対する亜塩素酸ナトリウムの注入装置によると、養殖漁場等の水産系施設において、ウィルス等の病原菌に対して有効な防疫（殺菌、減菌、不活化）を行ない、魚類飼育用水産系使用水の効果的な再生を図ることができるようになる。
【発明を実施するための最良の形態】
【００３７】
以下、添付の図面（図１）を参照して、本願発明の最良の実施の形態に係る例えば養殖漁場等の水産系施設の魚類飼育用水産系使用水に対する亜塩素酸ナトリウム注入装置の構成について説明する。
【００３８】
先ず図１において、符号１は亜塩素酸ナトリウム（ＮａＣｌＯ2）の原液を貯留している亜塩素酸ナトリウム原液タンク、符号２は水産系使用水供給ライン１１を介して所定量供給された水産系使用水（原水）中に亜塩素酸ナトリウム原液を所定量添加して調合する亜塩素酸ナトリウム添加液調合タンク、符号３は例えばハロゲンランプ等よりなる所定の光源、符号４は上記亜塩素酸ナトリウム原液タンク１から原液供給通路６を介して上記亜塩素酸ナトリウム添加液調合タンク２へ原液（イ）を供給する原液注入ポンプ、符号５は上記亜塩素酸ナトリウム添加液調合タンク２から電磁開閉弁９を有する調合液供給通路８を介して図示しない魚類飼育水槽側の飼育水中に亜塩素酸ナトリウム調合液（ロ）を注入する調合液注入ポンプ、１０はマイコンユニットである。
【００３９】
上記亜塩素酸ナトリウム添加液調合タンク２の本体部２ａの上部面は透明板２ｂで構成されていて、上記光源３からの光が上記亜塩素酸ナトリウム添加液調合タンク２中の亜塩素酸ナトリウム調合液（ロ）に照射されるようになっているとともに、図示のような調合液バイパス通路７が設けられていて、同光が照射された状態で上記亜塩素酸ナトリウム添加液調合タンク２内の亜塩素酸ナトリウム調合液（ロ）が循環されるようになっている。
【００４０】
この亜塩素酸ナトリウム注入装置は、水産系使用水を所定量貯留した魚類飼育水槽中の水産系使用水中に消毒剤又は殺菌剤として、所定の濃度の亜塩素酸ナトリウム（ＮａＣｌＯ2）調合液（ロ）を所定量注入して防疫（殺菌、減菌、不活化）処理するようになっている。
【００４１】
そして、同亜塩素酸ナトリウム注入装置による魚類飼育水槽中への亜塩素酸ナトリウム（ＮａＣｌＯ2）調合液（ロ）の注入は、上記亜塩素酸ナトリウム添加液調合タンク２内に上記バイパス通路７を介した循環状態で光を照射されながら貯留されている所定の濃度の亜塩素酸ナトリウム（ＮａＣｌＯ2）調合液（ロ）を、上記マイコンユニット１０による電磁開閉弁９の開閉によって必要な時に必要な量だけ添加することによって行われる。
【００４２】
一方、このようにして魚類飼育水層へ注入される亜塩素酸ナトリウム（ＮａＣｌＯ2）調合液（ロ）は、上記亜塩素酸ナトリウム原液タンク１に貯留されている亜塩素酸ナトリウム（ＮａＣｌＯ2）の原液を、原液注入ポンプ４を備えた原液供給通路６を介して、上記予じめ所定量の水産系使用水を貯留している亜塩素酸ナトリウム添加液調合タンク２内に必要な時に必要な量だけ導入して添加調合することによって形成される。
【００４３】
この亜塩素酸ナトリウム添加液調合タンク２内への亜塩素酸ナトリウム（ＮａＣｌＯ2）原液の添加タイミングおよび添加量（濃度）も、上記マイコンユニット１０によって適切に制御される。
【００４４】
亜塩素酸ナトリウム（ＮａＣｌＯ2）は、濃度調整範囲が広く、安全性が高い消毒薬である。
【００４５】
したがって、魚類飼育水槽中の飼育水に、消毒剤又は殺菌剤として亜塩素酸ナトリウム（ＮａＣｌＯ2）を注入すると、ウィルス等に対して有効な殺菌作用が生じ、当該飼育水の再生を図ることができる。
【００４６】
しかも、注入された亜塩素酸ナトリウムは、飼育水中で安定した性状を有し、短期間では分解せず、長期に亘って有効な殺菌効果を発揮させることができる。
【００４７】
また、次亜塩素酸ナトリウム（ＮａＣｌＯ）などと異なって付加反応による有害なトリハロメタンを生成せず、飼育水中のアンモニア性窒素とも反応しない。したがって、クロラミン生成等の問題も生じない。また、亜塩素酸ナトリウム過剰注入の必要もない。
【００４８】
そこで、上述のように、亜塩素酸ナトリウムの原液を貯留した原液タンク１と、同原液タンク１からの亜塩素酸ナトリウム原液（イ）を添加して調合する亜塩素酸ナトリウム添加液調合タンク２と、所定の光源３と、上記亜塩素酸ナトリウム原液タンク１から上記亜塩素酸ナトリウム添加液調合タンク２へ亜塩素酸ナトリウム原液（イ）を供給する原液注入ポンプ４と、上記亜塩素酸ナトリウム添加液調合タンク２から魚類飼育水槽側の飼育水中に亜塩素酸ナトリウム調合液（ロ）を注入する調合液注入ポンプ５とから、亜塩素酸ナトリウムの注入装置を構成する一方、その上記亜塩素酸ナトリウム添加液調合タンク２の上部を透明板２ｂに構成することにより、上記所定の光源３からの光が上記亜塩素酸ナトリウム添加液調合タンク２中の亜塩素酸ナトリウム調合液（ロ）に照射されるようにするとともに、上記亜塩素酸ナトリウム添加液調合タンク２に調合液バイパス通路７を設けて同光を照射した亜塩素酸ナトリウム調合液（ロ）を循環させるようにする。
【００４９】
このように、所定量の水産系使用水に所定量の亜塩素酸ナトリウム（ＮａＣｌＯ2）を添加した亜塩素酸ナトリウム調合液（ロ）に光を照射すると、当該光にによって同亜塩素酸ナトリウム調合液（ロ）中の亜塩素酸ナトリウム（ＮａＣｌＯ2）が活性化し、低濃度でもウィルス等に対して特に有効な殺菌作用を発揮するようになり、当該魚類飼育水の一層効果的な再生を図ることができる。
【００５０】
この場合、もちろん魚類飼育水槽中に直接亜塩素酸ナトリウム調合液を注入し、その後、光を照射して活性化を図ることも考えられる。
【００５１】
しかし、光の照射による亜塩素酸ナトリウムの活性化効率を考えると、水量の多い飼育水中に添加してからよりも、高濃度の所定量の調合液（水溶液）状態で光を照射するのが好ましく、そのようにして効率良く活性化させてから、飼育水中に添加する方が殺菌効果も高い。
【００５２】
しかも、上記の構成では、上記亜塩素酸ナトリウム添加液調合タンク２に調合液バイパス通路７を設けて同亜塩素酸ナトリウム調合液（ロ）を調合液バイパス通路７を介して循環させながら光を照射するようにしているので、光による亜塩素酸ナトリウムの活性化効率が非常に高く、より効果的である。
【００５３】
また、その場合において、上記所定の光源３には、例えばハロゲンランプや紫外線ランプなどの人工光源を採用し、マイコンユニット１０により、その照射光量を所望の量に調節することができるようになっている。
【００５４】
このように、所定の光源３の照射光量を所望の量に調節することができるようになっていると、例えば照射する光と照射時間を適切に制御することにより、その殺菌効果を魚の種類等に応じて適切にコントロールすることができるようになる。
【００５５】
以上の結果、本実施の形態の亜塩素酸ナトリウムの注入装置によると、養殖漁場等の水産系施設において、ウィルス等の病原菌に対して有効な防疫（殺菌、減菌、不活化）を行ない、水産系使用水の効果的な再生を図ることができるようになる。
【００５６】
（変形例１）
以上の実施の形態では、亜塩素酸ナトリウム（ＮａＣｌＯ2）を活性化させる光源３として、例えばハロゲンランプ（または紫外線ランプ等）４よりなる人工的な光源を使用した。
【００５７】
しかし、同光源３はそのような人工光源に限られるわけではなく、上記紫外線ランプよりも強い紫外光成分を有する太陽光を用いて亜塩素酸ナトリウム（ＮａＣｌＯ2）を活性化させるようにしてもよい。
【００５８】
そのようにすると、電力の消費を招くことなく、低コストで、より効率良く亜塩素酸ナトリウム（ＮａＣｌＯ2）を活性化させることができる。
【００５９】
（変形例２）
また、以上の実施の形態では、亜塩素酸ナトリウム添加液調合タンク２の上面部（天面部）を透明板２ｂに構成した。
【００６０】
そのようにすると、亜塩素酸ナトリウム添加液調合タンク２内にゴミや雨等を侵入させることなく、より確実に所望の濃度の亜塩素酸ナトリウム調合液を形成することができる。
【００６１】
しかし、同亜塩素酸ナトリウム添加液調合タンク２の上面部は必ずしも透明板２ｂを必須とするものではなく、必要に応じて透明板２ｂのない開放構造にすることもできる。
【００６２】
（変形例３）
また、以上の実施の形態では、水産系使用水の一例として養殖漁業用飼育水の場合について説明したが、この発明を適用することが可能な水産系使用水の例としては、その他にも養殖漁場の種苗用滅菌水や疾病治療水など種々のものがあげられる。
【図面の簡単な説明】
【００６３】
【図１】本願発明の最良の実施の形態に係る水産系使用水に対する亜塩素酸ナトリウムの注入装置の構成を示すブロック図である。
【符号の説明】
【００６４】
１は亜塩素酸ナトリウムの原液を貯留している亜塩素酸ナトリウム原液タンク、２は使用水給ライン１１を介して供給される使用水中に亜塩素酸ナトリウム原液を添加する亜塩素酸ナトリウム添加液調合タンク、３はハロゲンランプ等よりなる所定の光源、４は原液タンク１から調合タンク２へ原液を供給する原液注入ポンプ、５は調合タンク２から魚類飼育水槽側の飼育水中に調合液を注入する調合液注入ポンプである。
である。
【図１】
0005114014.tif 000002